(57)【要約】      （修正有）【課題】天井に吊下げられた吊下げ対象物の安定性及び使用性の向上が図れる吊下げ用治具を提供する。【解決手段】天井Ｂに固定されるタッピングねじ１と、タッピングねじ１に、その下方で連結される筒体２と、一端側が筒体２に対して同軸で係脱自在に係合し、他端側が棚Ｃを貫通する棒体３と、棚Ｃを貫通した棒体３の他端部に係合して、棚Ｃを下面から支持する袋ナット４とを備えた吊下げ用治具Ａ。【選択図】図１
0003177433.tif 000002
【実用新案登録請求の範囲】
【請求項１】
吊下げ対象物を天井に吊下げるための吊下げ用治具であって、天井に固定される固定体と、前記固定体に該固定体の下方で連結される連結体と、一端側が前記連結体に対して同軸で係脱自在に係合し、他端側が前記吊下げ対象物を貫通する棒体と、前記吊下げ対象物を貫通した前記棒体の他端部に係合して、該吊下げ対象物を下面から支持する係合支持部とを備えていることを特徴とする吊下げ用治具。
【請求項２】
前記天井と前記吊下げ対象物の上面にわたり、前記固定体、前記連結体、前記棒体を内蔵するように配されたカバー体を更に備え、前記カバー体の下端と前記係合支持部とで、前記吊下げ対象物を上下で挟持して支持するようにされていることを特徴とする請求項１記載の吊下げ用治具。
【請求項３】
前記固定体が前記天井にねじ込み固定されるタッピングねじであり、且つ前記連結体が筒体であって、前記タッピングねじが前記筒体に該筒体の上端孔部から出没自在に挿入され、該タッピングねじの頭部が、前記筒体の内側に設けられた掛合部に掛合されていることを特徴とする請求項１又は２記載の吊下げ用治具。
【請求項４】
前記筒体の周壁に、該筒体の前記上端孔部周りの縁部から軸方向に沿って一つ以上の割溝が形成され、前記割溝により、前記上端孔部の径が拡縮するようにされていることを特徴とする請求項３記載の吊下げ用治具。
【請求項５】
前記周壁が、前記上端孔部の縮径状態を保持するように塑性変形されていることを特徴とする請求項４記載の吊下げ用治具。
【請求項６】
前記筒体の外側に嵌合する嵌合部材を備え、前記嵌合部材は、その上面が前記筒体の上端と面一となるように嵌合されていることを特徴とする請求項３乃至５何れか１項記載の吊下げ用治具。
【請求項７】
前記筒体の外側に嵌合する嵌合部材を備え、前記嵌合部材は、前記上端孔部の縮径状態における前記筒体の外径に適合して嵌合されていることを特徴とする請求項４又は５記載の吊下げ用治具。
【請求項８】
前記連結体が筒体であって、前記棒体が前記筒体内に挿入され、且つ該筒体内で係合されていることを特徴とする請求項１又は２記載の吊下げ用治具。
【請求項９】
前記係合が螺合であることを特徴とする請求項１乃至８何れか１項記載の吊下げ用治具。
【考案の詳細な説明】
【技術分野】
【０００１】
本考案は、家屋の天井に棚や各種器具等の吊下げ対象物を吊下げるための吊下げ用治具に関する。
【背景技術】
【０００２】
本考案に係る吊下げ用治具は、下記の特許文献１に記載されているように、天井から吊りワイヤを垂下し、水平に架設した棚板逆円錐台状の取り付け孔を上下に貫通するように設けるとともに、この取り付け孔に上記吊りワイヤを挿通し、円錐台状の嵌合部を有する係止具の中央に上下に貫通する挿通孔を設けるとともにこの挿通孔に上記吊りワイヤを挿通し、係止具の嵌合部が拡縮自在になるように嵌合部に複数個の割り溝を設け、吊りワイヤの適宜高さで係止具の嵌合部を棚板の取り付け孔に嵌入するとともにこの嵌入による嵌合部の縮径で挿通孔を吊りワイヤに密着係止してなるものが知られている。
【先行技術文献】
【特許文献】
【０００３】
【特許文献１】特開平５−２０２６０９号公報
【考案の概要】
【考案が解決しようとする課題】
【０００４】
特許文献１の従来技術によると、吊りワイヤの上下の任意の位置で係止具の嵌合部を棚板の取り付け孔に嵌合することにより、棚板の荷重で嵌合部を縮径させて挿通孔を吊りワイヤに密着させて棚板を吊り支持できるとともに、簡単に棚板を任意の高さに吊下げることができる。
【０００５】
しかしながら、特許文献１の従来技術では、吊りワイヤによって棚板を吊下げる構造であることから、地震による揺れや棚板に対する衝撃等によって、吊りワイヤが揺動するとともに、この吊りワイヤの揺動に伴って棚板が揺動してしまうため、極めて不安定な棚となってしまうという問題があった。
【０００６】
本考案は、このような問題に対処することを課題とするものである。すなわち、棚等の吊下げ対象物を安定よく吊下げることができること、吊下げ対象物の揺動を防止できること、吊下げ対象物を任意の高さに吊下げることができること、これによって、天井に吊下げられた吊下げ対象物の安定性及び使用性を向上できること、等が本考案の目的である。
【課題を解決するための手段】
【０００７】
前記目的を達成するため、本考案に係る吊下げ用治具は、以下の構成を少なくとも具備する。
【０００８】
吊下げ対象物を天井に吊下げるための吊下げ用治具であって、天井に固定される固定体と、前記固定体に該固定体の下方で連結される連結体と、一端側が前記連結体に対して同軸で係脱自在に係合し、他端側が前記吊下げ対象物を貫通する棒体と、前記吊下げ対象物を貫通した前記棒体の他端部に係合して、該吊下げ対象物を下面から支持する係合支持部とを備えていることを特徴とする。
【０００９】
前記天井と前記吊下げ対象物の上面にわたり、前記固定体、前記連結体、前記棒体を内蔵するように配されたカバー体を更に備え、前記カバー体の下端と前記係合支持部とで、前記吊下げ対象物を上下で挟持して支持するようにされていることを特徴とする。
【００１０】
前記固定体が前記天井にねじ込み固定されるタッピングねじであり、且つ前記連結体が筒体であって、前記タッピングねじが前記筒体に該筒体の上端孔部から出没自在に挿入され、該タッピングねじの頭部が、前記筒体の内側に設けられた掛合部に掛合されていることを特徴とする。
【００１１】
前記筒体の周壁に、該筒体の前記上端孔部周りの縁部から軸方向に沿って一つ以上の割溝が形成され、前記割溝により、前記上端孔部の径が拡縮自在にされていることを特徴とする。
【００１２】
前記周壁が、前記上端孔部の縮径状態を保持するように塑性変形されていることを特徴とする。
【００１３】
前記筒体の外側に嵌合する嵌合部材を備え、前記嵌合部材は、その上面が前記筒体の上端と面一となるように嵌合されていることを特徴とする。
【００１４】
前記筒体の外側に嵌合する嵌合部材を備え、前記嵌合部材は、前記上端孔部の縮径状態における前記筒体の外径に適合して嵌合されていることを特徴とする。
【００１５】
前記連結体が筒体であって、前記棒体が前記筒体内に挿入され、且つ該筒体内で係合されていることを特徴とする。
【００１６】
前記係合が螺合であることを特徴とする。
【考案の効果】
【００１７】
このような特徴を有することで本考案は、以下の効果を奏する。すなわち、天井に固定される固定体と、前記固定体に該固定体の下方で連結される連結体と、一端側が前記連結体に対して同軸で係脱自在に係合し、他端側が前記吊下げ対象物に貫通する棒体と、前記吊下げ対象物から貫通した前記棒体の他端部に係合して、該吊下げ対象物を下面から支持する係合支持部とを備えた吊下げ用治具であるため、棚等の吊下げ対象物を安定よく吊下げることができるとともに、吊下げ対象物の揺動を防止でき、しかも、吊下げ対象物を任意の高さに吊下げることができる。したがって、天井に吊下げられた吊下げ対象物の安定性及び使用性を向上できる。
【図面の簡単な説明】
【００１８】
【図１】本考案に係る吊下げ用治具の実施形態を示す断面図及び正面図であり、天井に固定するとともに、棚を吊下げした状態を示す。
【図２】本考案に係る吊下げ用治具の実施形態を示す分解図である。
【考案を実施するための形態】
【００１９】
以下、本考案に係る実施形態の吊下げ用治具Ａを図１及び図２に基づいて説明する。尚、以下で説明する各実施形態は、本考案を限定するものではない。
【００２０】
吊下げ用治具Ａは、天井Ｂに設置して、棚（吊り下げ対象物）Ｃを吊下げる構成を備えたものであり、全ての構成部材を変形や破損等が少ない硬質素材製のものとしたものである。
【００２１】
この吊下げ用治具Ａは、天井Ｂに複数個設置し、この複数個の吊下げ用治具Ａによって棚Ｃを安定よく天井Ｂに吊下げるようにされている。
【００２２】
吊下げ用治具Ａは、天井Ｂにねじ込み固定されるタッピングねじ（固定体）１と、タッピングねじ１を上端孔部２０から出没自在に内蔵し、且つタッピングねじ１の下方で連結される筒体（連結体）２と、上端側を筒体２にその下端孔部２１から同軸で螺合（係合）し、他端側が棚（吊り下げ対象物）Ｃの上板Ｃ１に上方から貫通する棒体３と、上板Ｃ１に貫通した棒体３の下端側に螺合（係合）され、上板Ｃ１の下面Ｃ１０から棚Ｃを支持する袋ナット（係合支持部）４と、天井Ｂと上板Ｃ１の上面Ｃ１１にわたり、タッピングねじ１、筒体２、棒体３を内蔵するように配されたカバー体５とを備えている。
【００２３】
タッピングねじ１は、吊下げ用治具Ａ及び棚Ｃ、更には、棚Ｃに収納する収納物の荷重を支えるものであるため、ねじ込み状態保持の機能に優れる大きいサイズであることが好ましい。
【００２４】
また、タッピングねじ１の天井Ｂに対するねじ込み対象部位は、天井Ｂにおける天井板Ｂ１を支持する天井下地枠材Ｂ２や竿縁（図示せず）等の厚みがある部位とする。
【００２５】
また、天井Ｂが木製である場合には、木ねじを使用することができ、天井Ｂがコンクリートやモルタルを用いてなるものである場合、コンクリート用のタッピングねじ１やアンカーねじ等を使用する。
【００２６】
筒体２は、タッピングねじ１のねじ部１０が出没するように貫通できるとともに、頭部１１よりも小さい径の上端孔部２０と、棒体３が螺合する径の下端孔部２１とを備えており、タッピングねじ１を天井Ｂにねじ込む際に、ドライバ（図示せず）を下端孔部２１から挿入してねじ込み作業を行えるようになっている。
【００２７】
筒体２は、上端孔部２０周りの縁を径方向内側に突出させており、この突出させた部位の内側を、筒体２に挿入したタッピングねじ１の頭部１１と対面して掛止する掛止部６としている。この掛止部６に頭部１１が掛止されることで、タッピングねじ１と筒体２とを連結することができるようになっている。
【００２８】
筒体２は、その周壁２Ａに上端孔部２０周りの縁から軸方向に沿って、筒体２の軸方向中途部まで複数の割溝２２が形成されており、この割溝２２により周壁２Ａが上端孔部２０を縮径するように塑性変形されている。
【００２９】
筒体２の上端には、一回り小径とする段差部２Ｂが形成され、且つこの段差部２Ｂに、嵌合部材２Ｃが嵌合されている。嵌合部材２Ｃは、ワッシャのような環状板であり、内径が上端孔部２０の縮径に伴って縮径された段差部２Ｂの外径に適合する径にされ、これにより、縮径した段差部２Ｂに適合して嵌合できるようになっている。
【００３０】
また、嵌合部材２Ｃは、段差部２Ｂに嵌合した状態において、その上面が段差部２Ｂの上端と面一となる厚みにされている。
【００３１】
尚、嵌合部材２Ｃは、縮径した段差部に対して適合して嵌合できるものに限らず、遊嵌合できるようにしたものであってもよい。
【００３２】
すなわち、周壁２Ａを塑性変形させることで上端孔部２０を縮径し、この縮径に伴って縮径した段差部２Ｂに嵌合部材２Ｃを嵌合することにより、タッピングねじ１の頭部１１の掛止部６に対する掛止状態を確実なものとすることができる。嵌合部材２Ｃの上面と段差部２Ｂの上端が面一であるので、タッピングねじ１を天井Ｂに螺合締め込む際に、天井Ｂに対して広い面積で接触させることができるので、筒体２の天井Ｂへの取付け時において天井Ｂの傷付きを防止することができる。
【００３３】
筒体２は、この割溝２２により周壁２Ａを、治具等（図示せず）を用いて上端孔部２０を縮径するように弾性変形させ、この縮径状態を段差部２Ｂに対する嵌合部材２Ｃの嵌合によって保持するようにしてもよい。
【００３４】
周壁２Ａを弾性変形させることで上端孔部２０を縮径する際、上端孔部２０の縮径に伴って縮径される段差部２Ｂの外径を嵌合部材２Ｃの内径よりも小径になるようにし、この状態で嵌合部材２Ｃを嵌合することで、この嵌合部材２Ｃの嵌合作業をスムーズに行うことができる。
【００３５】
また、嵌合部材２Ｃの嵌合後に、前述の治具等を周壁２Ａから取り外すと、周壁２Ａが弾性によって元の位置に戻る方向に動作し、これによって、段差部２Ｂの外周面が嵌合部材２Ｃの内周に圧接することによって、嵌合した状態で段差部２Ｂの拡径を防止できる。
【００３６】
すなわち、上端孔部２０を縮径し、この縮径に伴って縮径された段差部２Ｂに嵌合部材２Ｃを嵌合することにより、タッピングねじ１の頭部１１の掛止部６に対する掛止状態を確実なものとすることができる。
【００３７】
尚、このような筒体２に嵌合する嵌合部材２Ｃにおいても、段差部２Ｂに嵌合した状態において、その上面が段差部２Ｂの上端と面一となる厚みにするとよい。
【００３８】
筒体２は、内壁に雌ねじ２３が形成されており、この雌ねじ２３に棒体３の外側に形成された雄ねじ３０が螺合（係合）するようになっている。
【００３９】
棒体３は、棚Ｃを吊下げ支持するものであり、筒体２を介して天井Ｂから垂下されている。この棒体３は、下方の一部を除く全域に雄ねじ３０が形成されたものであり、雄ねじ３０が形成されていない部位に径方向で対面する二つの平面部３１が形成されている。この平面部３１は、棒体３を筒体２に螺合する際の工具（図示せず）を用いるための部位である。
【００４０】
このような棒体３を、任意の長さとなるように切断するか、或いは長さの異なるものを用いることによって、棚Ｃの吊下げ位置を調節することができる。
【００４１】
尚、棒体３は、例示した構成に限らず、両ねじボルトや寸切ボルトを用いることができる。
【００４２】
棒体３が筒体２に螺合によって係合しているので、棒体３の筒体２に対する着脱が容易、且つ迅速に行えるので、棚Ｃの取り付け作業の作業効率を向上することができる。
【００４３】
袋ナット４は、上板Ｃ１の下面Ｃ１０を貫通した棒体３に螺合締め込みすることで、カバー体５とで上板Ｃ１を上下から挟持することで、棒体３が棚Ｃをがたつきなく支持できるようにしている。
【００４４】
カバー体５は、天井Ｂと上板Ｃ１の上面Ｃ１１との距離に対応する長さに形成された筒状のものであり、タッピングねじ１、筒体２、棒体３を隠すように内蔵するものである。また、カバー体５の径は、嵌合部材２Ｃの径よりも小径であり、取付け時において嵌合部材２Ｃの下面に接触するようになっている。
【００４５】
このカバー体５は、棒体３の長さによって決まる天井Ｂと上板Ｃ１の上面Ｃ１１との距離に応じた長さとなるように切断するか、或いは前述の距離に応じた長さに形成されたものを用いることによって、天井Ｂと上板Ｃ１の上面Ｃ１１との空間に適合させることができるとともに、袋ナット４との上板Ｃ１の挟持を確実なものとすることができる。
【００４６】
また、このようなカバー体５を配して、タッピングねじ１、筒体２、棒体３を隠すようにしているので、棚Ｃを吊下げる部屋の美観を確保することができる。
【００４７】
また、カバー体５の外周面に、棚Ｃの質感と同様の質感となるように着色やデザインを施すことによって、棚Ｃを吊下げる部屋の美観を確保することもできる（図示せず）。
【００４８】
棚Ｃを吊下げた状態において、タッピングねじ１、筒体２、棒体３が視覚されないような長さとなる吊下げ治具Ａであるか、或いはタッピングねじ１、筒体２、棒体３が視覚されない位置に吊下げ治具Ａが配される場合においては、カバー体５を省略してもよい。この場合、カバー体５と上板Ｃ１側に棒体３に螺合するロックナットを用いて、このロックナットと袋ナット４とで上板Ｃ１を挟持してもよい（図示せず）。
【００４９】
カバー体５と上板Ｃ１の上面１１との間、袋ナット４と上板Ｃ１の下面１０との間には、ワッシャＤを介在させてあり、このワッシャＤによって、袋ナット４の締め付け状態を保持するとともに、棚Ｃの傷付きを防止している。
【００５０】
以下、吊下げ治具Ａを用いて棚Ｃを天井Ｂに配置する作業工程を説明する。まず、筒体２にタッピングねじ１を貫通させて、天井Ｂの天井下地枠材Ｂ２にタッピングねじ１をねじ込んで、筒体２を天井Ｂに固定する。このとき、段差部２Ｂに嵌合部材２Ｃを嵌合しておく。また、タッピングねじ１のねじ込み孔（図示せず）は、あらかじめ天井Ｂに開孔する。
【００５１】
次に、棒体３を筒体２に螺合締め付けして、天井Ｂから垂下された状態とする。
【００５２】
最後に、棒体３にカバー部材５を被せ、このカバー部材５を被せた状態で、棚Ｃの上板Ｃ１に棒体３を貫通させるとともに、上板Ｃ１を貫通した棒体３に袋ナット４を螺合締め付けることによって、棚Ｃを天井Ｂに吊下げることができる。
【００５３】
以上の構成の吊下げ治具Ａによると、タッピングねじ１及び筒体２を介して天井Ｂに垂下された棒体３が、袋ナット４及びカバー部材５と介して棚Ｃを吊下げ支持するので、棚Ｃを安定よく吊下げることができるとともに、棚Ｃの揺動を防止できる。しかも、棒体３の長さを長短調整することによって、棚Ｃの高さ位置を所望の位置に設定することができる。したがって、天井Ｂに吊下げられた棚Ｃの安定性及び使用性を向上することができる。
【００５４】
尚、前述の固定体の構造は、天井Ｂに対して固定できる構造であればよい。また、前述の固定体と前述の連結体とを一体構造としてもよい。また、前述の連結体の構造は、前述の固定体を連結できるとともに、棒体３が係脱自在に係合できる構造であればよい。また、前述の係合支持体の構造は、棒体３に係合して棚Ｃを支持できる構造であればよい。また、前述の連結体と棒体３との係合構造は、棒体３が連結体に対して抜けないように係合する構造であればよい。また、棒体３が前述の連結体の外側で係合する構造としてもよい。
【符号の説明】
【００５５】
Ａ：吊下げ用治具  Ｂ：天井  Ｃ：棚（吊り下げ対象物）  １：タッピングねじ（固定体）
２：筒体（連結体）  ３：棒体  ４：袋ナット（係合支持部）  ５：カバー体  ６：掛合部
２Ａ：周壁  ２Ｃ：嵌合部材  ２０：上端孔部  ２２：割溝  ２３：雌ねじ  
３０：雄ねじ
【図１】
0003177433.tif 000003
【図２】
0003177433.tif 000004